(57)【要約】【課題】シンプルな構造の部品で構成されたスナップファスナー、及びこのスナップファスナーを備えた衣服類などの各種製品を提供することにある。【解決手段】スナップファスナー１０は、係合溝２８が形成されたスタッド２７を有する雄部材２０と、スタッド２７が挿入される挿入部３２を有する雌部材３０と、を備える。雌部材３０は、収容空間５５を形成するキャップ５０及び固定プレート８０を備え、また、雌部材３０を生地に取り付けるための押さえプレート４０を備える。収容空間５５にはバネ６０が収容される。バネ６０は、スタッド２７によって押圧される押圧プレート６１と、押圧プレート６１の変形に応じて第１位置に変位する係合爪６３とを備え、係合爪６３が第１位置に変位することによって係合溝２８と係合して、雄部材２０と雌部材とが互いに係合する。【選択図】図２
2016049344.tif 000002
【特許請求の範囲】
【請求項１】
被係合部が形成されたスタッドを有する雄部材と、
前記スタッドが挿入される挿入部を有する雌部材と、を備え、
前記雌部材は、
前記挿入部に対する前記スタッドの挿入方向の一方側に前記挿入部の入り口となる第１の開口を有し、他方側に第２の開口を有する第１ケースと、
前記第１ケースの前記第２の開口の周縁に装着され、前記第１ケースとの間で収容空間を形成する第２ケースと、
前記収容空間に収容され、前記第１の開口から挿入される前記スタッドによって押圧される押圧プレート、前記押圧プレートの周縁から前記第１の開口側へ延びる複数のアーム、複数の前記アームの先端に形成された内向き鉤状の係合爪を有し、前記押圧プレートが前記スタッドの前記挿入方向へ押圧されたことに応じて前記係合爪が前記被係合部と係合可能な第１位置に変位し、前記押圧プレートが前記挿入方向とは逆方向へ押圧されたことに応じて前記係合爪が前記被係合部との係合を解除する第２位置に変位する押圧部材と、
前記雌部材が取り付けられる被取付体を前記第１ケースとの間に介在させた状態で前記第１ケースにおける前記第１の開口側に固定される固定部材と、を備えるスナップファスナー。
【請求項２】
前記挿入部は、前記第１ケースの前記第１の開口から前記押圧部材の前記押圧プレートに至る空間であり、
前記押圧プレートは、前記挿入方向へ押圧されたときに、前記挿入方向へ撓まされた第１形状に変形するとともに前記第１形状を保持しつつ前記アームを内側へ変位させることにより前記係合爪を前記第１位置に変位させ、前記挿入方向とは逆方向へ押圧されたときに、前記逆方向へ撓まされた第２形状に変形するとともに前記第２形状を保持しつつ前記アームを外側へ変位させることにより前記係合爪を前記第２位置に変位させる請求項１に記載のスナップファスナー。
【請求項３】
前記第２ケースは、前記第１の開口及び前記第２の開口と同心の第３の開口を有し、
前記押圧部材は、前記押圧プレートの一部が、前記第２ケースの前記第３の開口から前記挿入方向の逆方向へ押圧操作可能なように前記収容空間に収容されている請求項１又は２に記載のスナップファスナー。
【請求項４】
前記雄部材及び前記雌部材は、前記挿入方向に一致する中心線を対称軸とする回転対称性を有する形状に形成されている請求項１から３のいずれかに記載のスナップファスナー。
【請求項５】
前記スタッド、前記第１ケース、前記第２ケース、前記押圧部材、及び前記固定部材はいずれも前記対称軸を中心とする円形状に形成されている請求項４に記載のスナップファスナー。
【請求項６】
請求項１から５のいずれかに記載のスナップファスナーを備える衣類製品。
【発明の詳細な説明】
【技術分野】
【０００１】
本発明は、雄部材及び雌部材を備え、雌部材に対する解除操作が行われることによって雄部材と雌部材との係合状態を解除可能なスナップファスナーに関する。
【背景技術】
【０００２】
従来、衣服やカバン、財布などに適用されるスナップファスナーが知られている。スナップファスナーは、２つの部材を重ね合わせた状態にしてこれらの合わせ目を留めるものである。この種のスナップファスナーは、一般に、スナップホック、スナップボタン、ホックボタン、留め具とも称されている。従来のスナップファスナーは、一方の部材に取り付けられる雄部材と、他方の部材に取り付けられる雌部材とを有している。雄部材が雌部材の開口部に挿入されてその挿入方向へ押圧されると、前記開口部が広げられる。そして、雄部材の係合部が開口部を通り過ぎて雌部材の奥側へ進入すると、前記開口部が元の大きさに戻される。これにより、雄部材の係合部が雌部材から抜け難くなり、雄部材と雌部材とが互いに係合して、衣服やカバンなどの合わせ目が開かないように留められる。また、雄部材と雌部材との係合状態は、雄部材及び雌部材それぞれを互いに引き離す方向へ引っ張ることによって解除される。
【０００３】
また、スナップファスナーの他の一例として、特許文献１に記載のスナップファスナーが知られている。このスナップファスナーは、雄部材と雌部材とが係合した状態を保持してロックする係止機構を備えている。前記係止機構は、雄部材と雌部材とが係合した状態で各部材を互いに係止（ロック）するものであり、前記係止機構による係止が解除されなければ、雄部材と雌部材との係合が解除されないように構成されている。この種のスナップファスナーは、カバン類や衣服類、介護用製品などにおいて、自由に開けて欲しくない合わせ目や開口部の留め具として用いられる。
【先行技術文献】
【特許文献】
【０００４】
【特許文献１】特開２０１３−１９８５０９号公報
【発明の概要】
【発明が解決しようとする課題】
【０００５】
しかしながら、前記係止機構を備えたスナップファスナーは、複数の部品によって構成されており、しかも、各部品（特に雌部材を構成する部品）は、前記係止機構を実現するために複雑な構造となっている。そのため、スナップファスナーの組み立てが容易ではなく、衣服やカバン等の製品（被取付対象）への取り付け作業に時間がかかる。また、各部品を樹脂材料で製造するにしても、金属材料で製造するにしても、複雑な構造であるが故に、完成部品の歩留まりが低いという問題がある。また、各部品を複雑な構造としたために、スナップファスナーの高さ方向のサイズが大きくなるという問題もある。
【０００６】
本発明は前記事情に鑑みてなされたものであり、その目的は、シンプルな構造の部品で構成されたスナップファスナー、及びこのスナップファスナーを備えた衣服類などの各種製品を提供することにある。また、本発明の更なる目的は、構成部品をシンプルな構造とすることにより、サイズダウン及び軽量化を実現することが可能なスナップファスナーを提供することにある。
【課題を解決するための手段】
【０００７】
本発明のスナップファスナーは、被係合部が形成されたスタッドを有する雄部材と、前記スタッドが挿入される挿入部を有する雌部材と、を備える。前記雌部材は、第１ケースと、第２ケースと、押圧部材と、固定部材と、を備える。前記第１ケースは、前記挿入部に対する前記スタッドの挿入方向の一方側に前記挿入部の入り口となる第１の開口を有し、他方側に第２の開口を有する。前記第２ケースは、前記第１ケースの前記第２の開口の周縁に装着され、前記第１ケースとの間で収容空間を形成可能に構成されている。前記押圧部材は、前記収容空間に収容され、前記第１の開口から挿入される前記スタッドによって押圧される押圧プレート、前記押圧プレートの周縁から前記第１の開口側へ延びる複数のアーム、複数の前記アームの先端に形成された内向き鉤状の係合爪を有する。前記押圧部材は、前記押圧プレートが前記スタッドの前記挿入方向へ押圧されたことに応じて前記係合爪が前記被係合部と係合可能な第１位置に変位し、前記押圧プレートが前記挿入方向とは逆方向へ押圧されたことに応じて前記係合爪が前記被係合部との係合を解除する第２位置に変位する。前記固定部材は、前記雌部材が取り付けられる被取付体を前記第１ケースとの間に介在させた状態で前記第１ケースにおける前記第１の開口側に固定される。
【０００８】
このように本発明が構成されているため、シンプルな構造のスナップファスナーを実現することができる。その結果、スナップファスナーの構成部品の歩留まり、及び完成品としてのスナップファスナーの歩留まりを改善することができる。また、シンプルな構造とすることにより、スナップファスナーの高さ方向のサイズを従来よりも小さくすることができ、また、従来よりも重量を軽量化することができる。
【０００９】
前記挿入部は、前記第１ケースの前記第１の開口から前記押圧部材の前記押圧プレートに至る空間である。前記押圧プレートは、前記挿入方向へ押圧されたときに、前記挿入方向へ撓まされた第１形状に変形するとともに前記第１形状を保持しつつ前記アームを内側へ変位させることにより前記係合爪を前記第１位置に変位させ、前記挿入方向とは逆方向へ押圧されたときに、前記逆方向へ撓まされた第２形状に変形するとともに前記第２形状を保持しつつ前記アームを外側へ変位させることにより前記係合爪を前記第２位置に変位させる。
【００１０】
この構成によれば、雌部材の押圧部材をシンプルな構造とすることができ、ひいては、雌部材を含むスナップファスナーの構造を簡素化することができる。
【００１１】
前記第２ケースは、前記第１の開口及び前記第２の開口と同心の第３の開口を有する。各開口の中心は同一中心線を通る。前記押圧部材は、前記押圧プレートの一部が、前記第２ケースの前記第３の開口から前記挿入方向の逆方向へ押圧操作可能なように前記収容空間に収容されている。
【００１２】
この構成によれば、雌部材において、押圧部材の押圧プレートの一部が前記第３の開口から押圧操作が可能であるため、ユーザーは押圧プレートの第３の開口を通じて、押圧プレートを操作して、前記押圧プレートを前記挿入方向の逆方向へ押圧することができる。
【００１３】
前記雄部材及び前記雌部材は、前記挿入方向に一致する中心線を対称軸とする回転対称性を有する形状に形成されている。
【００１４】
例えば、前記スタッド、前記第１ケース、前記第２ケース、前記押圧部材、及び前記固定部材はいずれも前記対称軸を中心とする円形状に形成されている。
【００１５】
この構成によれば、スナップファナーを衣類などの被取付体に簡単に取り付けることができる。具体的には、スナップファナーを被取付体に取り付ける際に、各部品を前記対称軸の軸周り方向に位置合わせする必要がなく、前記対称軸の軸方向に合わせて各部材を互いに連結するだけでスナップファスナーを被取付体に取り付けることができる。
【００１６】
また、本発明は、上述のスナップファスナーを備える衣類製品として捉えることができる。
【発明の効果】
【００１７】
本発明によれば、スナップファスナーをシンプルな構造の部品で構成することができ、製造上の歩留まりを改善することが可能となり、また、スナップファスナーの取付作業が簡単になり、作業時間を短縮することができる。また、構成部品をシンプルな構造とすることにより、スナップファスナーのサイズダウン及び軽量化を実現することができる。
【図面の簡単な説明】
【００１８】
【図１】図１は、本発明の実施形態に係るスナップファスナーを示す図である。
【図２】図２は、図１のスナップファスナーの断面図である。
【図３】図３は、図１のスナップファスナーを構成する雄部材及び雌部材を示す断面図である。
【図４】図４は、図３の雄部材の分解斜視図である。
【図５】図５は、図３の雌部材の分解斜視図である。
【図６】図６は、図１のスナップファスナーの三面図である。
【図７】図７は、図１のスナップファスナーの係合動作及び係合解除動作を説明するための図である。
【発明を実施するための形態】
【００１９】
以下、添付図を参照しながら、本発明の実施形態について説明する。なお、以下の実施形態は、本発明を具体化した一例であって、本発明の技術的範囲を限定するものではない。
【００２０】
図１は、本発明の実施形態に係るスナップファスナー１０を示す図であり、衣服の合わせ部分に取り付けられた状態が示されている。ここで、図１の（Ａ）は上方斜視図であり、（Ｂ）は側面方向から見た図であり、（Ｃ）は下方斜視図である。
【００２１】
スナップファスナー１０は、衣服類やカバン類、介護用製品などにおいて用いられる留め具である。具体的には、スナップファスナー１０は、衣服のポケットやカバンの開口などの合わせ部を閉じた状態で合わせ部を開かないように留める用途や、ジッパーを有する衣服やカバンなどにおいてジッパーが備えるスライダーの引き手と生地とを留める用途、ブラジャーのサイドベルトをつなぎ合わせて留める用途など、様々な用途に用いられる。特に、要介護者用の衣服や乳幼児用の衣服などにおいては、世話人としては自由に開けて欲しくない開口部や合わせ部があり、本実施形態に係るスナップファスナー１０は、着用者によって自由に開けて欲しくない開口部などにおける留め具として用いられる。以下、一実施例として、衣服に取り付けられるスナップファスナー１０の構成について詳細に説明する。
【００２２】
図１に示されるように、スナップファスナー１０は、衣服Ｘ（被取付体）の合わせ目の留め具として用いられるものであり、大別して、雄部材２０と、雌部材３０とによって構成されている。図１には、生地Ｘ１と生地Ｘ２とが互いに対向するように合わせられる衣服Ｘが一例として図示されており、生地Ｘ１（図１において上側の生地）に雄部材２０が取り付けられており、生地Ｘ２（図１において下側の生地）に雌部材３０が取り付けられている。
【００２３】
図２は、スナップファスナー１０の中央断面図である。図３は、雄部材２０と雌部材３０との係合を解除して互いに離間させた状態を示す断面図である。また、図４は、雄部材２０の分解斜視図であり、図５は、雌部材３０の分解斜視図である。図６は、スナップファスナー１０の三面図である。なお、図６において、スナップファスナー１０の左右側面及び背面は示されていないが、正面図と同じである。
【００２４】
まず、雄部材２０について説明する。図３及び図４に示されるように、雄部材２０は、ヘッド部２１と、ヘッド部２１が連結されるソケット２５とを備える。ヘッド部２１は「アタマ」又は「ホソ」とも称される部分であり、ソケット２５は「ゲンコ」とも称される部分である。雄部材２０を構成するヘッド部２１およびソケット２５は、ＡＢＳ樹脂などの樹脂材料によって構成されたものであってもよく、或いは、鋼板金などの金属材料で構成されたものであってもよい。本実施形態では、スナップファスナー１０の軽量化のため、更にはスナップファスナー１０の操作性を良くするために、ヘッド部２１およびソケット２５が樹脂材料によって構成された例について説明する。
【００２５】
ヘッド部２１の基盤部２２は、円盤形状に形成されている。基盤部２２の一方側の面２２Ａの中心に突軸２３が垂直に設けられている。面２２Ａは、生地Ｘ１に接触される部分であり、平坦に形成されている。なお、他方側の面２２Ｂは、生地Ｘ１の表面に現れる部分である。突軸２３は、基盤部２２の中心に設けられている。つまり、基盤部２２の中心と突軸２３の軸心とは、共通する中心線（図２乃至図６において一点鎖線で示す直線）上に位置している。言い換えると、基盤部２２及び突軸２３は、共通の中心線を有する。このため、ヘッド部２１は、前記中心線を対称軸とする回転対称性を有する形状に形成されている。
【００２６】
突軸２３の頂部２３Ａは先細り形状に形成されている。この頂部２３Ａは、後述するように、ヘッド部２１が生地Ｘ１を挟持するようにソケット２５に装着された後に、プレス工具にて押圧変形される。これにより、図３に示されるように、頂部２３Ａの外径が突軸２３の外径よりも大きくなり、ソケット２５の穴部２６Ａからヘッド部２１が抜け出せなくなる。
【００２７】
ソケット２５は、基盤部２６と、スタッド２７とを有する。つまり、雄部材２０は、スタッド２７を有する。スタッド２７は、後述する雌部材３０の挿入部３２に挿通される部分である。ソケット２５の基盤部２６は、ヘッド部２１の基盤部２２と概ね同じサイズの円形状に形成されている。基盤部２６の一方面から概ね円筒形状のスタッド２７が垂直に設けられている。詳細には、基盤部２６の中心を通る中心線（中心軸）とスタッド２７の中心線（中心軸）とが一致するように、スタッド２７が基盤部２６から延出している。基盤部２６の中心には、ヘッド部２１の突軸２３を挿通するための穴部２６Ａが形成されている。スタッド２７の外径は、穴部２６Ａの内径よりも大きなサイズに形成されており、スタッド２７の内部に形成された断面円形状の内孔２７Ａも穴部２６Ａの内径よりも大きなサイズとなっている。内孔２７Ａの一方の端部は、スタッド２７の延出端（図３において下方の端部）で開放されている。また、内孔２７Ａの他方の端部も、穴部２６Ａを通じて開放されている。つまり、スタッド２７の内孔２７Ａは、穴部２６Ａを通じてソケット２５の中心軸に沿って貫通している。
【００２８】
スタッド２７の外周面に係合溝２８（本発明の被係合部の一例）が形成されている。係合溝２８は、スタッド２７の外周面において、中心軸方向の概ね中央付近に形成されている。係合溝２８は、スタッド２７の中心軸の周りを一周する一条の溝である。係合溝２８は、後述する雌部材３０の挿入部３２にスタッド２７が挿入されたときに、雌部材３０のバネ６０の係合爪６３と係合する部分である。係合溝２８の断面形状は、係合爪６３が係合したときにスタッド２７の軸方向へ引っ掛かって抜けにくい形状に形成されており、例えば、矩形状に形成されている。
【００２９】
基盤部２６には、ボス２９Ａと、複数の突起２９Ｂとが設けられている。ボス２９Ａ及び複数の突起２９Ｂは、基盤部２６においてスタッド２７が設けられている面とは反対側の面２６Ｂに設けられている。基盤部２６の面２６Ｂの中心に、穴部２６Ａを囲むようにして円環状のボス２９Ａが形成されている。面２６Ｂは平坦に形成されており、その平坦な面２６Ｂの全域に複数の突起２９Ｂが均等に配置されている。突起２９Ｂの突出高さはボス２９Ａと概ね同じサイズになっている。
【００３０】
本実施形態では、雄部材２０は、次の要領で生地Ｘ１に取り付けられる。まず、ボス２９Ａが挿通可能なサイズの穴が形成された生地Ｘ１を用意する。そして、生地Ｘ１の一方側から、前記穴にソケット２５のボス２９Ａを挿通させる。このとき、生地Ｘ１に複数の突起２９Ｂが接触する。一方、生地Ｘ１の反対側からヘッド部２１の突軸２３を基盤部２６の穴部２６Ａに挿入する。突軸２３が穴部２６Ａに進入すると、基盤部２２の面２２Ａが生地Ｘ１に接触し、これにより、生地Ｘ１が、基盤部２２と基盤部２６とによって挟まれた状態となる。この状態で、前記プレス工具にて突軸２３の頂部２３Ａを押圧変形させる。これにより、頂部２３Ａの外径が突軸２３の外径よりも大きくなり、基盤部２２と基盤部２６とによって生地Ｘ１が挟まれた状態のままで、穴部２６Ａからヘッド部２１が抜け出せなくなる。つまり、雄部材２０が生地Ｘ１に取り付けられる。このとき、複数の突起２９Ｂが生地Ｘ１に食い込むため、雄部材２０に対して生地Ｘ１がずれない。
【００３１】
次に、雌部材３０について説明する。図３及び図５に示されるように、雌部材３０は、押さえプレート４０（本発明の固定部材の一例）と、キャップ５０（本発明の第１ケースの一例）と、バネ６０（本発明の押圧部材の一例）と、化粧布７０と、固定プレート８０（本発明の第２ケースの一例）と、を備える。雌部材３０を構成する押さえプレート４０、キャップ５０、バネ６０、及び、固定プレート８０は、ＡＢＳ樹脂などの樹脂材料によって構成されたものであってもよく、或いは、鋼板金などの金属材料で構成されたものであってもよい。本実施形態では、スナップファスナー１０の軽量化のために、押さえプレート４０、キャップ５０、及び、固定プレート８０が樹脂材料によって構成されており、また、スタッド２７の係合溝２８との係合性を向上させるためにバネ６０が非磁性体に属する金属材料（銅、ステンレス、アルミ、真鍮など）で構成された例について説明する。もちろん、バネ６０を他の部材と同様に樹脂材料で構成することにより、スナップファスナー１０の全ての構成部品を樹脂材料で構成するようにしてもよい。
【００３２】
雌部材３０は、雄部材２０が取り付けられている生地Ｘ１と合わせられる生地Ｘ２に取り付けられる部材である。雌部材３０は、上述したように複数の部材から構成されており、雄部材２０と係合することによって、互いに固定される。これにより、生地Ｘ１と生地Ｘ２とが合わせられた状態でスナップファスナー１０によって保持される。
【００３３】
図２及び図３に示されるように、雌部材３０は、押さえプレート４０、キャップ５０、バネ６０、化粧布７０、及び固定プレート８０の各部材の中心線（中心軸）が一致するように生地Ｘ２に取り付けられる。つまり、雌部材３０を構成する各部材の中心は、共通する中心軸線（図２、図３、図５において一点鎖線で示す直線）上に位置している。
【００３４】
図３及び図５に示されるように、キャップ５０は、後述の固定プレート８０が装着されることによって、その内部にバネ６０の収容空間５５を形成する。キャップ５０は、その中心軸方向の一方側に収容部５１が設けられている。また、その中心軸方向の他方側、つまり、収容部５１とは反対側に凹陥部５２が設けられている。
【００３５】
収容部５１は、内部が空洞の筒形状に形成されており、その内部空間にバネ６０が収容される。つまり、収容部５１の内部空間が収容空間５５である。図２に示されるように、収容部５１の収容空間５５の内径は、バネ６０の外径よりも少し大きいサイズとなるように形成されている。本実施形態では、収容部５１は、バネ６０が収容された状態で、バネ６０が有する後述の係合爪６３が動作可能なサイズに形成されている。収容部５１の中心軸方向の一方側（図２及び図３において上方側）に円形状の挿入口５３（第１の開口）が形成されている。言い換えると、キャップ５０は、その中心軸方向の一方側に挿入口５３を有する。挿入口５３は、雄部材２０のスタッド２７が後述の挿入部３２に挿入されるときの入り口となる部分である。挿入口５３の周縁には、収容部５１の内面から中心軸へ向けて迫り出した円環状の座部５１Ａが形成されている。つまり、座部５１Ａによって挿入口５３が区画されている。本実施形態では、挿入口５３の外径がバネ６０の外径よりも小さくなるように、座部５１Ａが形成されている。このため、凹陥部５２側からバネ６０が収容された場合に、バネ６０が座部５１Ａに当接して、バネ６０が挿入口５３から抜け出ることなく、収容部５１の収容空間５５に収容される。
【００３６】
凹陥部５２は、円形の凹部である。凹陥部５２は、その軸方向の他方側、つまり、収容部５１の挿入口５３とは反対側に円形の装着口５４（第２の開口）を有する。言い換えると、キャップ５０は、その中心軸方向の他方側に装着口５４を有する。凹陥部５２は、固定プレート８０が装着される部分である。凹陥部５２の外周縁５２Ａと凹陥部５２の底部５２Ｂとにより囲まれた空間に固定プレート８０が装着される。なお、固定プレート８０の装着については後述する。凹陥部５２の外径は、収容部５１の外径よりも大きいサイズに形成されている。本実施形態では、凹陥部５２の底部５２Ｂの中央からキャップ５０の中心軸方向へ延びるように、収容部５１の収容空間５５が形成されている。凹陥部５２の外周縁５２Ａは、その先端が内側（中心側）へ傾倒した形状に形成されている。
【００３７】
固定プレート８０は、円環状に形成された部材である。固定プレート８０は、キャップ５０の装着口５４の周縁に装着されるものであり、具体的には、上述したように、凹陥部５２に装着される。固定プレート８０が凹陥部５２に装着されることによって、キャップ５０と固定プレート８０との間にバネ６０を収容するための収容空間５５が形成される。固定プレート８０は、その中央に円形状の開口８１（第３の開口）が形成されている。つまり、開口８１は、固定プレート８０が凹陥部５２に装着された状態で、挿入口５３及び装着口５４と同心となる位置に形成されている。この開口８１は、バネ６０の外径よりも小さいサイズに形成されている。そのため、キャップ５０の収容空間５５にバネ６０が収容された状態で、固定プレート８０が凹陥部５２に装着されても、開口８１からバネ６０が抜け落ちることはない。また、固定プレート８０に開口８１が形成されているため、バネ６０が収容空間５５に収容された状態で、後述の押圧プレート６１の中央部が開口８１から挿入口５３側へ押圧操作可能となる。
【００３８】
本実施形態では、固定プレート８０の外径は、凹陥部５２の外周縁５２Ａの外径よりも少し小さいサイズに形成されている。このため、固定プレート８０が凹陥部５２に装着される際に、固定プレート８０が凹陥部５２に押し付けられると、外周縁５２Ａが外側へ撓まされつつ凹陥部５２の装着口５４が広げられる。そして、固定プレート８０が更に押し付けられると、凹陥部５２の内部に固定プレート８０が進入するとともに外周縁５２Ａが元の形状に戻される。これにより、固定プレート８０が凹陥部５２に抜け落ちることなく装着される。このような構造となっているため、専用の工具を用いることなく、固定プレート８０を凹陥部５２に嵌め入れることができる。
【００３９】
化粧布７０は、凹陥部５２の底部５２Ｂと固定プレート８０との間に配置される布部材である。化粧布７０は、凹陥部５２に収まるサイズに形成された円形状の布部材であり、固定プレート８０が凹陥部５２に装着されることによって、底部５２Ｂと固定プレート８０との間で挟持される。この状態で、化粧布７０の中央部分が開口８１から露出される。なお、化粧布７０に代えて、薄肉のフィルムなどを適用することも可能である。
【００４０】
バネ６０は、キャップ５０の収容空間５５に収容されるものである。バネ６０は、薄肉の板金を所定の形状に切断して、金型などによって屈曲加工することにより形成される。図５に示されるように、バネ６０は、押圧プレート６１と、複数のアーム６２と、係合爪６３とを有している。押圧プレート６１は、挿入口５３から挿入されるスタッド２７によって、その中心軸方向の一方側へ押圧される部分である。また、固定プレート８０の開口８１から操作されることによって中心軸方向の他方側へ押圧される部分でもある。押圧プレート６１は、その中央部がバネ６０の中心軸方向の何れか一方側へ隆起した形状に形成されている。押圧プレート６１は、外部から押圧されることにより、その隆起方向が変更できるように構成されており、後述の第１形状と第２形状とに弾性的に変形可能な板バネの機能を有する。押圧プレート６１の外周縁から複数のアーム６２が中心軸方向と同方向へ延出している。そのアーム６２の先端に係合爪６３が設けられている。係合爪６３は、バネ６０の内側に概ね垂直に折り曲げられた鉤状に形成されている。言い換えると、係合爪６３は、内向き鉤状に形成されている。バネ６０は、アーム６２の先端の係合爪６３が挿入口５３側に配置され、押圧プレート６１が装着口５４側に配置されるように、収容空間５５に収容される。したがって、バネ６０が収容空間５５に収容された状態で、アーム６２は、押圧プレート６１の外周縁から装着口５４側へ延出されている。
【００４１】
本実施形態では、バネ６０は、押圧プレート６１が押圧される方向に応じて、係合爪６３が雄部材２０の係合溝２８と係合可能な第１位置（図７（Ｃ）に示される位置）に変位し、又は、係合爪６３が係合溝２８との係合を解除する第２位置（図７（Ａ）及び（Ｂ）に示される位置）に変位するように構成されている。具体的には、押圧プレート６１がスタッド２７の挿入方向へ押圧されたことに応じて係合爪６３が前記第１位置に変位し、押圧プレート６１が前記挿入方向とは逆方向へ押圧されたことに応じて係合爪６３が前記第２位置に変位する。
【００４２】
バネ６０が収容空間５５に収容され、更に化粧布７０及び固定プレート８０がキャップ５０に取り付けられることにより、キャップ５０内に挿入部３２が形成される。この挿入部３２は、キャップ５０において、挿入口５３から押圧プレート６１に至る空間であり、その周面が複数のアーム６２によって区画された空間である。本実施形態では、この挿入部３２に雄部材２０のスタッド２７が挿入される。ここで、挿入部３２に対するスタッド２７の挿入方向は、雄部材２０及び雌部材３０それぞれの中心を通る中心線（図２乃至図６において一点鎖線で示す直線）に一致している。スタッド２７が挿入部３２に挿入されると、スタッド２７の先端が押圧プレート６１を前記挿入方向へ押圧する。これにより、押圧プレート６１がその挿入方向へ撓んだ第１形状（図７（Ｃ）に示される形状）に変形する。ここで、前記第１形状は、押圧プレート６１の中央部が前記挿入方向側へ湾曲状（断面視で円弧状）に撓んだ形状である。この変形に伴い、押圧プレート６１は、アーム６２を内側へ変位させ、更に、係合爪６３を前記第１位置に変位させる。また、押圧プレート６１が固定プレート８０の開口８１からユーザー操作によって前記挿入方向とは逆の方向へ押圧されると、押圧プレート６１がその逆方向へ撓んだ第２形状（図７（Ａ）及び（Ｂ）に示される形状）に変形する。ここで、前記第２形状は、押圧プレート６１の中央部が前記逆方向側へ湾曲状（断面視で円弧状）に撓んだ形状である。この変形に伴い、押圧プレート６１は、アーム６２を外側へ変位させ、更に、係合爪６３を前記第２位置に変位させる。つまり、押圧プレート６１は、押圧された方向に応じて前記第１形状又は前記第２形状に形状変化し、その形状を保持可能に構成されている。具体的には、押圧プレート６１を、その中心を通る軸方向へ湾曲させた形状とすることにより、上述の形状変化を実現できる。なお、バネ６０の押圧プレート６１が形状変化することによって、係合爪６３の位置が前記第１位置と前記第２位置とに変化する。この係合爪６３の位置変化による作用効果については後述する。
【００４３】
押さえプレート４０は、円環状に形成された部材である。押さえプレート４０は、生地Ｘ２をキャップ５０との間に介在させた状態で、キャップ５０の挿入口５３側に固定されるものであり、キャップ５０の収容部５１の外周面に装着される。具体的には、押さえプレート４０は、その中央に円形状の開口４１が形成されており、また、収容部５１の挿入口５３側の外周縁に外向きの爪状の係合爪５１Ｂが形成されている。押さえプレート４０の開口４１に収容部５１に挿通されることによって、開口４１の周縁と係合爪５１Ｂとが係合して、押さえプレート４０が収容部５１に固定される。押さえプレート４０において、生地Ｘ２に接触される面４２には、複数の突起４３が設けられている。複数の突起４３は、押さえプレート４０の面４２の全域に均等に配置されている。
【００４４】
本実施形態では、雌部材３０は、次の要領で生地Ｘ２に取り付けられる。まず、収容部５１が挿通可能なサイズの穴が形成された生地Ｘ２を用意する。そして、生地Ｘ２の一方側から、前記穴に収容部５１を挿通させる。このとき、生地Ｘ２に複数の突起４３が接触する。一方、生地Ｘ２の反対側から押さえプレート４０の開口４１に収容部５１を挿通させて、開口４１の周縁と係合爪５１Ｂとを係合させる。これにより、生地Ｘ２が、押さえプレート４０と凹陥部５２の挿入口５３側の面との間に挟まれた状態で、雌部材３０が生地Ｘ２に取り付けられる。このとき、複数の突起４３が生地Ｘ２に食い込むため、雌部材３０に対して生地Ｘ２がずれない。
【００４５】
以下、図３及び図７を参照して、雄部材２０と雌部材３０との係合動作とともに、バネ６０の係合爪６３の動きについて説明する。なお、図７では、説明の便宜上、バネ６０以外の雌部材３０の構成についての図示を省略している。
【００４６】
図３に示されるように、雄部材２０と雌部材３０とが係合しておらず、互いに離れた状態にあるときに、バネ６０は前記第２形状（図７（Ａ）及び（Ｂ）に示される状態）に変化されているとする。この状態では、押圧プレート６１がアーム６２の延出方向へ撓まされて隆起した状態となっている。このとき、押圧プレート６１の撓みによって、アーム６２が外側へ変位され、その変位に応じて、係合爪６３が前記第２位置に変位している。雄部材２０のスタッド２７が挿入部３２に挿入されて、図７（Ｂ）に示されるように、スタッド２７の先端が押圧プレート６１に当接する位置まで到達すると、スタッド２７の係合溝２８と係合爪６３とが互いに係合可能な位置に位置合わせされる。そして、スタッド２７が挿入部３２に更に挿入されて、スタッド２７の先端が押圧プレート６１を押圧すると、押圧プレート６１が前記第２形状から前記第１形状に形状変化する。これにより、押圧プレート６１がスタッド２７の挿入方向へ撓まされて隆起した状態となる。このとき、押圧プレート６１の撓みによって、アーム６２が内側へ変位され、その変位に応じて、係合爪６３が前記第１位置に変位する。これにより、図７（Ｃ）に示されるように、係合爪６３が係合溝２８に挿入されて、係合爪６３と係合溝２８とが軸方向に係合して、雄部材２０と雌部材３０とが互いに固定される。
【００４７】
なお、雄部材２０と雌部材３０との係合は、固定プレート８０の開口８１から化粧布７０を介して押圧プレート６１をスタッド２７の挿入方向とは逆方向へ押し戻す操作を行うことにより、解除できる。つまり、前記操作によって押圧プレート６１が前記挿入方向とは逆方向へ押し戻されると、押圧プレート６１が前記第１形状から前記第２形状となり、この変形に伴い、係合爪６３が前記第１位置から前記第２位置へ変位して、係合溝２８から抜け出される。これにより、雄部材２０と雌部材３０との係合が解除される。
【００４８】
上述したスナップファスナー１０では、雄部材２０及び雌部材３０の各構成部品がシンプルな構造であるため、構成部品の製造上の歩留まり、ひいては、スナップファスナー１０の製造上の歩留まりが改善される。また、各部品をシンプルな構造とすることにより、スナップファスナー１０の高さ方向のサイズを従来よりも小さくすることができ、また、従来よりも重量を軽量化することができる。また、各構成部品を樹脂材料で構成するようにすれば、更なる軽量化を図ることができる。
【００４９】
また、磁性体に属する金属材料で構成された従来のスナップファスナーでは、衣類に取り付けられた場合に、検針器によって検知されていた。しかしながら、上述した本実施形態のスナップファスナー１０は、樹脂材料或いは非磁性体の金属材料で構成されているため、検針器によって検知されない。したがって、スナップファスナー１０が取り付けられた衣類であれば、検針器による縫い針などの探知が有効となる。
【００５０】
また、スナップファスナー１０の構成部品が、各部品の中心線（中心軸）を対称軸とする回転対称性を有する形状となっているため、各部品の軸周りの位置合わせを必要としない。これにより、スナップファスナー１０を衣類などに容易に取り付けることができる。
【００５１】
なお、上述の実施形態では、スナップファスナー１０を本発明の一例として例示したが、本発明は、スナップファスナー１０が取り付けられた衣類製品として捉えることも可能である。
【符号の説明】
【００５２】
１０：スナップファスナー
２０：雄部材
２１：ヘッド部
２５：ソケット
２７：スタッド
２８：係合溝
３０：雌部材
４０：押さえプレート
５０：キャップ
６０：バネ
６１：押圧プレート
７０：化粧布
８０：固定プレート
【図１】
2016049344.tif 000003
【図２】
2016049344.tif 000004
【図３】
2016049344.tif 000005
【図４】
2016049344.tif 000006
【図５】
2016049344.tif 000007
【図６】
2016049344.tif 000008
【図７】
2016049344.tif 000009